(57)【特許請求の範囲】
【請求項１】
医療器具を体内に挿入するためのパイプ部と、該パイプ部の上部に連続して設けられるヘッド部とを有し、該パイプ部を介して腹壁に設けられるトロカールであって、
前記パイプ部周壁端面に埋設されるカメラを備えることを特徴とするトロカール。
【請求項２】
前記パイプ部端面に設けられる光源を更に備えることを特徴とする請求項１記載のトロカール。
【請求項３】
前記パイプ部端面周方向において瘤部を有し、
前記カメラは、該瘤部に設けられる
ことを特徴とする請求項１または２記載のトロカール。
【請求項５】
前記カメラは、ズーム機能を有することを特徴とする請求項１〜３いずれか記載のトロカール。
【請求項６】
前記ヘッド部に設けられる位置マーカを更に備えることを特徴とする請求項１記載のトロカール。
【請求項７】
請求項６記載のトロカールと、
カメラと位置マーカとを有する腹腔鏡と、
該腹腔鏡の位置マーカおよび該トロカールの位置マーカの位置を検出する位置検出センサと、
該位置マーカの位置に基づき前記カメラの位置を推定し、該カメラの位置に基づき前記カメラから得られた画像を合成し、３次元画像を作成する画像処理装置と
を備えることを特徴とする手術支援システム。
【請求項８】
複数の請求項６記載のトロカールと、
前記位置マーカの位置を検出する位置センサと、
該位置マーカの位置に基づき前記カメラの位置を推定し、該カメラの位置に基づき前記カメラから得られた画像を合成し、３次元画像を作成する画像処理装置と、
を備えることを特徴とする手術支援システム。
【請求項９】
手術台の上方に設けられ、前記３次元画像を患者の腹部に投影する３次元プロジェクタ
をさらに備えることを特徴とする請求項７または８記載の手術支援システム。
【請求項１０】
前記パイプ部先端に設けられたヒンジ機構と、
前記ヒンジ機構を介してパイプ部端面開口を開閉可能に設けられ、先端が尖った穿刺キャップと
を有する穿刺機構
を更に備えることを特徴とする請求項１記載のトロカール。
【請求項１１】
前記パイプ部の軸方向に回動可能に固定され、かつ、一端部がトロカール外に延長されるシャフトと、
該シャフトの他端部に連設されるクリーニング部材と、
該シャフトの一端部に連設され、該クリーニング部材が前記パイプ部端面形状に対応する位置に配置される通常位置と、該クリーニング部材が前記カメラに対応する位置に配置されるクリーニング位置とに、該クリーニング部材を切り替える切替部材と
を有し、
該切替部材の回動により、該クリーニング部材がカメラレンズに接触してクリーニングする
クリーニング機構
を更に備えることを特徴とする請求項１記載のトロカール。
【請求項１２】
請求項１記載のトロカールのパイプ長より長いシャフトと、
該シャフトの一端部に設けられる保持部と、
該パイプ内径より小さく、前記カメラレンズに接触可能に該シャフトの一端部に設けられるクリーニング部材と
を備えることを特徴とするカメラレンズクリーニング器具。
【請求項１３】
医療器具を体内に挿入するためのパイプ部と、該パイプ部の上部に連続して設けられるヘッド部とを有し、該パイプ部を介して腹壁に設けられるトロカールであって、
前記パイプ部周壁端面に埋設される赤外撮像デバイスと、
前記パイプ部周壁端面に埋設され、近赤外励起光を照射する近赤外励起光源と
を備えることを特徴とするトロカール。
【請求項１４】
請求項１３記載のトロカールを含み、ＩＣＧ蛍光画像を取得するＩＣＧ蛍光画像取得手段と、
前記ＩＣＧ蛍光画像に対応する可視光画像を取得する可視光画像取得手段と
を備えることを特徴とする手術支援システム。
【請求項１５】
医療器具を体内に挿入するためのパイプ部と、該パイプ部の上部に連続して設けられるヘッド部とを有し、該パイプ部を介して胸壁に設けられるポートであって、
前記パイプ部周壁端面に埋設されるカメラを備えることを特徴とするポート。
【請求項１６】
前記パイプ部端面と反対側のパイプ部端部側に設けられる光源を更に備え、
前記パイプ部は光透過性を有する材料により構成されている
ことを特徴とする請求項１記載のトロカール。
【請求項１８】
医療器具を体内に挿入するためのパイプ部と、該パイプ部の上部に連続して設けられるヘッド部とを有し、該パイプ部を介して腹壁に設けられるトロカールであって、
前記パイプ部周壁端面に埋設される赤外撮像デバイスと、
前記ヘッド部に近い側のパイプ部端部側に設けられ、近赤外励起光を照射する近赤外励起光源とを備え、
前記パイプ部は光透過性を有する材料により構成されている
ことを特徴とするトロカール。
【請求項１９】
前記カメラは複数であることを特徴とする請求項１記載のトロカール。
【発明の詳細な説明】
【技術分野】
【０００１】  本発明は、腹腔鏡下手術に用いるトロカールおよび関連技術に関する。ただし、胸腔鏡下手術に用いる場合はポートという。
【背景技術】
【０００２】  近年、患者のQOL（quality of life）維持・向上のために腹腔鏡下手術などの低侵襲外科手術が求められている。腹腔鏡下手術は腹腔内に炭酸ガスを注入して腹壁を膨らませ、手技のための空間と視野を確保する。そして腹壁に小さい孔を設け、トロカールと呼ばれる器具を挿入する。そこから腹腔鏡(CCDカメラ)や外科器具である鉗子を患者の体内に挿入し、腹腔鏡によってモニタに表示される映像を観察しながら手術を行うのが一般的である（例えば特許文献１）。
【先行技術文献】
【特許文献】
【０００３】
【特許文献１】特開２０１３−１７９９９８号公報
【発明の概要】
【発明が解決しようとする課題】
【０００４】  ところで、この手術は腹腔鏡から得られる映像のみを頼りに行われるため視野が狭く、術者に負担がかかる。視野を拡大すべく別のカメラを挿入するように新たに腹壁に孔をあけると、低侵襲性を損なう。【０００５】  本発明は上記課題を解決するものであり、腹腔鏡下手術において、低侵襲性を損なうことなく、視野の狭さを解消することを目的とする。
【課題を解決するための手段】
【０００６】  上記課題を解決する本発明は、医療器具を体内に挿入するためのパイプ部と、該パイプ部の上部に連続して設けられるヘッド部とを有し、該パイプ部を介して腹壁に設けられるトロカールであって、前記パイプ部端面に設けられるカメラを備える（トロカールカメラ）。【０００７】  本発明において好ましくは、前記パイプ部端面に設けられる光源を更に備える。【０００８】  本発明において好ましくは、前記パイプ部端面周方向において瘤部を有し、前記カメラは、該瘤部に設けられる。【０００９】  本発明において好ましくは、前記パイプ部端面は、円筒を斜めに切断した形状に形成され、前記カメラは、該斜面後端に設けられる。【００１０】  本発明において好ましくは、前記カメラは、ズーム機能を有する。【００１１】  本発明において好ましくは、前記医療器具は鉗子である。【００１２】  本発明において好ましくは、前記ヘッド部に設けられる位置マーカを更に備える。【００１３】  本発明の手術支援システムは、上記のトロカールと、カメラと位置マーカとを有する腹腔鏡と、該腹腔鏡の位置マーカおよび該トロカールの位置マーカの位置を検出する位置検出センサと、該位置マーカの位置に基づき前記カメラの位置を推定し、該カメラの位置に基づき前記カメラから得られた画像を合成し、３次元画像を作成する画像処理装置とを備える。【００１４】  本発明の手術支援システムは、複数の上記のトロカールと、前記位置マーカの位置を検出する位置センサと、該位置マーカの位置に基づき前記カメラの位置を推定し、該カメラの位置に基づき前記カメラから得られた画像を合成し、３次元画像を作成する画像処理装置と、を備える。【００１５】  本発明の手術支援システムにおいて、好ましくは、手術台の上方に設けられ、前記３次元画像を患者の腹部に投影する３次元プロジェクタをさらに備える。【００１６】  本発明において好ましくは、穿刺機構を更に備える。穿刺機構は、前記パイプ部先端に設けられたヒンジ機構と、前記ヒンジ機構を介してパイプ部端面開口を開閉可能に設けられ、先端が尖った穿刺キャップとを有する  本発明において好ましくは、前記穿刺キャップの外縁が前記パイプ部端面に当接されることで、パイプ部端面開口は閉じられ、該穿刺キャップの外縁は、該パイプ部端面の外円に含まれる。【００１７】  本発明において好ましくは、クリーニング機構を更に備える。クリーニング機構は、前記パイプ部の軸方向に回動可能に固定され、かつ、一端部がトロカール外に延長されるシャフトと、該シャフトの他端部に連設されるクリーニング部材と、該シャフトの一端部に連設され、該クリーニング部材が前記パイプ部端面形状に対応する位置に配置される通常位置と、該クリーニング部材が前記カメラに対応する位置に配置されるクリーニング位置とに、該クリーニング部材を切り替える切替部材とを有する。該切替部材の回動により、該クリーニング部材がカメラレンズに接触してクリーニングする。【００１８】  本発明は、上記トロカールカメラのレンズをクリーニングするカメラレンズクリーニング器具である。カメラレンズクリーニング器具は、トロカールのパイプ長より長いシャフトと、該シャフトの一端部に設けられる保持部と、該パイ��内径より小さく、前記カメラレンズに接触可能に該シャフトの一端部に設けられるクリーニング部材とを備える。【００１９】  上記課題を解決する本発明は、医療器具を体内に挿入するためのパイプ部と、該パイプ部の上部に連続して設けられるヘッド部とを有し、該パイプ部を介して腹壁に設けられるトロカールであって、前記パイプ部端面に設けられる赤外撮像デバイスと、前記パイプ部端面に設けられ、近赤外励起光を照射する近赤外励起光源とを備える。【００２０】  本発明の手術支援システムは、上記のトロカールを含み、ICG蛍光画像を取得するICG蛍光画像取得手段と、前記ICG蛍光画像に対応する可視光画像を取得する可視光画像取得手段とを備える。【００２１】  上記課題を解決する本発明は、医療器具を体内に挿入するためのパイプ部と、該パイプ部の上部に連続して設けられるヘッド部とを有し、該パイプ部を介して胸壁に設けられるポートであって、前記パイプ部端面に設けられるカメラを備える。
【発明の効果】
【００２２】  本発明によれば、鉗子用トロカールを用いることで、新たに腹壁に孔をあけることなく、低侵襲性を損なうことがない。一方、腹腔鏡から得られる映像に加え、トロカールカメラから得られる映像を用いることにより、視野の狭さを解消できる。
【図面の簡単な説明】
【００２３】
【図１】トロカールカメラの斜視図
【図２】トロカールカメラの変形例
【図３】手術支援システム（第１実施例）
【図４】３次元形状計測の基本原理
【図５】カメラ位置推定の困難性
【図６】カメラ間距離と奥行き推定精度の関係
【図７】手術支援システム（実施例２）
【図８】手術支援システム（実施例３）
【図９】穿刺機構（第１実施例）（従来技術適用）
【図１０】穿刺キャップを有するトロカール（第２実施例）
【図１１】穿刺キャップ変形例
【図１２】穿刺キャップ動作説明図
【図１３】穿刺機構（第３実施例）
【図１４】クリーニング機構（第１実施例）
【図１５】クリーニング機構（第２実施例）
【図１６】トロカールカメラ（ICG蛍光観察）
【図１７】手術支援システム（ICG蛍光観察）
【図１８】画像合成処理の概念図
【図１９】散乱性に係る概念図
【図２０】３次元観察の概念図（ICG蛍光観察）
【図２１】トロカールカメラの変形例（変形例１）
【図２２】トロカールカメラの変形例（変形例２）
【図２３】トロカールカメラの変形例（変形例２）
【図２４】トロカールカメラの変形例（変形例４）
【発明を実施するための形態】
【００２４】  ≪カメラ付トロカール（トロカールカメラ）≫  〜構成〜  カメラ付トロカール（トロカールカメラ）の構成について説明する。図１は、トロカールカメラの斜視図である。図１（ａ）と図１（ｂ）とは、視点が異なる。
【００２５】  トロカール１は、パイプ部１１とヘッド部１２から構成される。パイプ部１１は、その大部分が腹壁の孔に挿入される。ヘッド部１２はパイプ部１１の上部に連続して設けられる。ヘッド部１２は中空であり、その上部から鉗子が挿入可能になっている。また、詳細は省略するが、ヘッド部１２は鉗子の挿抜時に空気の漏れを防止する密封機構と腹腔内に空気を送り込む送気機構とを備える。
【００２６】  パイプ部１１の端面１３にレンズが位置するように、パイプ部１１先端壁面にカメラ１７が埋設されている。カメラ１７にはケーブル１８が接続されており、ケーブル１８はトロカール１内を挿通して、外部の画像処理装置６(後述)と接続している。
【００２７】  カメラの付加構成としてズーム機能を有している。ズーム機能は光学ズームでもデジタルズームでもよい。
【００２８】  パイプ部１１の端面１３には、さらに、光源１４が設けられている。光源１４は例えばチップＬＥＤである。光源１４にはケーブル１５（図示省略）が接続されており、ケーブル１５はケーブル１８に並設され、外部電源と接続している。
【００２９】  〜効果〜
【００３０】  従来の一般的な腹腔鏡下手術では、腹腔鏡から得られる映像のみを頼りに行われるため視野が狭かった。視野を拡大すべく別のカメラを挿入するように新たに腹壁に孔をあけると、低侵襲性を損なう。
【００３１】  本実施形態では、鉗子用トロカールを用いるため、新たに腹壁に孔をあける必要はなく、低侵襲性を維持できる。
【００３２】  また、本実施形態では、トロカールカメラ１を用いることにより、腹腔内に複数のカメラ１７を挿入することができる。これにより、視野を広げることができる。さらに、カメラ１７は、鉗子４の先端部を確実に撮影するため、切断箇所など重要な画像を確実に得ることができる。
【００３３】  すなわち、低侵襲性を損なうことなく、視野の狭さを解消することができる。
【００３４】  〜変形例〜  図２は、トロカールカメラの変形例である。従来型のパイプ部は略真円であるのに対し、本実施形態は瘤部１６を有する。
【００３５】  カメラ１７はパイプ部１１先端壁面に埋設されており、小型カメラを想定している。しかしながら、カメラの小型化には限界がある。一方で、パイプ壁の厚さを厚くすることも限界がある。すなわち、カメラ埋設に充分なスペースを確保できない可能性もある。
【００３６】  本実施形態では、瘤部１６によりカメラ埋設に充分なスペースを確保できる。一方、瘤部１６がトロカール挿入の障害にならないことを実験により確認している。
【００３７】  さらに、光源１４を瘤部１６に設けても良い。
【００３８】  ≪手術支援システム≫  （第１実施例）  〜手術支援システム構成〜  ３次元画像を用いる手術支援システム１０１について説明する。図３は、手術支援システム１０１の概略構成である。
【００３９】  手術支援システム１０１は、カメラ１７ａとマーカ１９を有する鉗子用トロカール１ａと、カメラ１７ｂとマーカ１９ｂを有する鉗子用トロカール１ｂと、腹腔鏡用トロカール３と、鉗子４ａ，４ｂと、マーカ１９ｄを有する腹腔鏡５と、カメラ１７ａ，１７ｂから得られた画像と腹腔鏡５から得られた画像を入力し、これらの画像を合成処理し３次元画像を作成する画像処理装置６と、画像処理装置６により作成された３次元画像を出力する３次元モニタ７と、光学センサ９とを備えている。
【００４０】  鉗子４ａ，４ｂは、手術器具の一種であり、血管や臓器等を、掴んだり、抑えたり、引っ張ったり、切断したりするのに用いられる。一般的に鋏形状をしており、持手部の回動により、支点を介して先端部が作動する。持手部を閉状態にし、鉗子用トロカール１ａ，１ｂに挿通させる。なお、腹腔鏡下手術において、複数（例えば３〜５）の鉗子を用いることが一般的であるが、本システムにおいて、鉗子および鉗子用トロカールは少なくとも１以上あればよい。
【００４１】  腹腔鏡５は、内視鏡器具の一種であり、カメラと光源を有している。腹腔鏡５は腹腔鏡用トロカール３を挿通して体内に挿入される。マーカ１９ｄは、腹腔鏡５の体内に挿入されない位置に設けられている。
【００４２】  光学センサ９は、マーカ１９ａ，１９ｂ，１９ｄの３次元位置を計測し、計測結果を画像処理装置６に出力する。なお、本実施形態において、光学センサ９はマーカの白と黒を可視光線として認識するものであるが、赤外線を発信し、マーカで反射した赤外線を受信してもよい。光学センサに限定されず、３次元位置を計測できれば磁気センサでもよい。
【００４３】  〜３次元形状計測〜  図４は、３次元形状計測の基本原理について説明する概念図である。２次元形状計測と３次元形状計測との一番の違いは、奥行きの推定である。
【００４４】  ２つのカメラと対象ポイントとが形成する三角形において、２つのカメラ間の距離Ｌと、カメラ間基線と一のカメラ視線がなす角度αと、カメラ間基線と他のカメラ視線がなす角度βに基づいて、奥行きＤを推定できる。なお、カメラ数を増やすことにより、より多くの三角形が形成されるため、推定精度が向上する。
【００４５】  本実施形態のトロカール１にはマーカ１９が固定されている。一方、カメラ１７はパイプ端面に設置されている。すなわち、マーカ１９とカメラ１７の位置関係は不変である。これにより、画像処理装置６はマーカ１９ａ，１９ｂの３次元位置に基づいてカメラ１７ａ，１７ｂの３次元位置を推定できる。同様に、マーカ１９ｄの３次元位置に基づいて腹腔鏡５のカメラの３次元位置を推定できる。すなわち、カメラ間距離を推定できる。
【００４６】  さらに、対象ポイントごとに、角度α，βを測定し、上記基本原理に基づき、対象ポイントの奥行き位置を推定できる。対象ポイントを移動し、奥行き位置推定を繰り返すことにより、腹腔内の３次元形状を計測できる。
【００４７】  〜システム全体の効果〜  手術支援システム１０１を用いた腹腔鏡下手術は、一般的な腹腔鏡下手術を基礎とするものであり、手術方式の大きな変更がないため、術者はこれまでの手術に関する知識と経験をそのまま生かすことができる。
【００４８】  また、手術支援システム１０１は、改良したトロカールを用いた簡素な構成であり、既存の手術支援システムを簡単な改良で再利用することができる。
【００４９】  ところで、従来の一般的な腹腔鏡下手術では、腹腔鏡から得られる映像のみを頼りに行われるため視野が狭かった。特に、奥行きに係る画像情報が得られなかった。精度の良い３時次元形状計測をすべく別のカメラを挿入するように新たに腹壁に孔をあけると、低侵襲性を損なう。
【００５０】  本実施形態では、カメラ１７ａ，１７ｂを有するトロカール１ａ，１ｂを用いることにより、腹腔内に複数のカメラを挿入することができる。このとき、鉗子用トロカールを用いるため、新たに腹壁に孔をあける必要はない。これにより、低侵襲性を維持しながら、３次元形状を計測できる。
【００５１】  更に、画像処理装置６が３次元画像を作成し、３次元モニタ７に３次元画像を出力する。術者は３次元モニタ７を見ることで、奥行き情報を含む広い視野を得ることができる。これにより、術者の負担を軽減できる。
【００５２】  〜精度向上に係る効果〜  （１）３次元形状計測の基本原理について説明したように、奥行きを推定するには、カメラ１７ａ，１７ｂの３次元位置を推定する必要がある。しかしながら、カメラ１７ａ，１７ｂは腹腔内にあるため直接、位置を計測できない。さらに、鉗子４ａ，４ｂの動きに伴って、トロカール１ａ，１ｂの角度が変わり、その結果、カメラ１７ａ，１７ｂが微動する。そのため、３次元位置の推定は困難であるという課題がある。図５はカメラ位置推定の困難性に係る課題を説明する概念図である。
【００５３】  そこで、トロカール１ａ，１ｂの微動に連動してカメラ１７ａ，１７ｂが微動することに着目し、トロカール１ａ，１ｂのヘッド部１２にマーカ１９ａ，１９ｂを設けた。すなわち、マーカ１９ａ，１９ｂとカメラ１７ａ，１７ｂの位置関係は不変である。一方、マーカ１９ａ，１９ｂの３次元位置は光学センサ９により精度よく検出できる。したがって、マーカ１９ａ，１９ｂの３次元位置に基づきカメラ１７ａ，１７ｂの３次元位置を精度よく推定できる。
【００５４】  なお、腹腔鏡５のカメラの動きは、トロカール３の微動と連動しないため、マーカ１９ｄは腹腔鏡５に設けられている。これにより、腹腔鏡５のカメラの３次元位置を精度よく推定できる。
【００５５】  カメラの三次元位置を精度よく推定し、カメラ間距離を精度よく推定できる結果、奥行きを精度よく推定でき、腹腔内の３次元形状計測を精度よくおこなうことができる。
【００５６】  （２）３次元形状計測の基本原理について説明したように、カメラ数を増やすことにより、奥行き推定の精度が向上する。一般に、腹腔鏡下手術において、複数(例えば２〜５程度)の鉗子が用いられる。その結果、腹腔鏡５以外にも、複数のカメラ１７が腹腔内に挿入される。これにより、奥行きを精度よく推定でき、腹腔内の３次元形状計測を精度よくおこなうことができる。
【００５７】  （３）ところで、立体内視鏡を用いても、腹腔内の３次元形状計測は可能である。しかしながら、立体内視鏡は、カメラ間の距離が非常に狭く、三角形が極端に細長くなり、その結果、奥行き推定の精度が良くない。
【００５８】  図６は、カメラ間距離と奥行き推定精度の関係を示す概念図である。図６（ａ）は、カメラ間距離が非常に狭いケース、図６（ｂ）は、カメラ間距離が広いケースを示している。
【００５９】  図６（ａ）において、カメラ間距離を非常に狭いＬ１とし、実際の奥行きをＤとする。カメラ視線に誤差があった場合の推定奥行きはＤ１となる。図６（ｂ）において、カメラ間距離を充分広いＬ２とし、実際の奥行きをＤ（図６（ａ）と同じ）とする。カメラ視線に誤差（図６（ａ）と同レベル）があった場合の推定奥行きはＤ２となる。
【００６０】  推定奥行きＤ１は大きな誤差を有するのに対し、推定奥行きＤ２の誤差は小さい。
【００６１】  一般に、腹腔鏡下手術において、複数(例えば２〜５程度)の鉗子用のトロカール１が腹壁にほぼ均等に配置される。言い換えると、トロカール１が密集して配置される可能性はほぼない。これにより、充分広いカメラ間距離を確保でき、奥行きを精度よく推定でき、腹腔内の３次元形状計測を精度よくおこなうことができる。
【００６２】  （第２実施例）  図７は手術支援システム１０２の概略構成図である。手術支援システム１０２は、カメラ１７ａ，１７ｂ，１７ｃとマーカ１９ａ，１９ｂ，１９ｃを有する鉗子用トロカール１ａ，１ｂ，１ｃと、鉗子４ａ，４ｂ，４ｃと、マーカ１９ａ，１９ｂ，１９ｃの３次元位置に基づきカメラ１７ａ，１７ｂ，１７ｃの３次元位置を推定し、カメラから得られた画像を合成し、３次元画像を作成する画像処理装置６と、画像処理装置６により作成された３次元画像を出力する３次元モニタ７とを備えている。
【００６３】  すなわち、実施例１の手術支援システム１０１における腹腔鏡用トロカール３と腹腔鏡５とマーカ１９ｄとがなく、格納式カメラ１７ｃを有する鉗子用トロカール１ｃと、鉗子４ｃとマーカ１９ｃとが追加されている。
【００６４】  なお、腹腔鏡下手術において、複数の鉗子を用いることが一般的であるが、本システムにおいて、鉗子および鉗子用トロカールは少なくとも２以上あればよい。
【００６５】  実施例１の様に腹腔鏡５を用いる場合、術者が腹腔鏡５の向きを操作し切断箇所などを探す必要があるのに対し、カメラ１７は、鉗子４ａの先端部を確実に撮影するため、切断箇所など重要な画像を確実に得ることができる。したがって、カメラ１７の性能が高いこと前提に、腹腔鏡５より高品質な画像を確実に得ることができる。
【００６６】  一方、腹腔鏡用トロカール３と腹腔鏡５が不要となることで、これらのための孔を腹壁にあける必要はなく、低侵襲性が向上する。
【００６７】  なお、本実施例では腹腔鏡を用いていないが、便宜上、腹腔鏡下手術と呼ぶ。
【００６８】  （第３実施例）  実施例３は実施例１・２の変形例である。実施例１・２では、術者はモニタ７を見ながら鉗子４や腹腔鏡５を操作し手術を行うが、術者の視線と実際の術野とに方向の不一致が生じ、術者に違和感を与え、負担になる。特に、開腹手術の経験豊富な術者は、腹腔鏡下手術に慣れないこともある。
【００６９】  図８は手術支援システム１０３の概略構成図である。実施例１・２と共通する構成は適宜省略している。手術支援システム１０３は、３次元モニタ７に替えて、３次元プロジェクタ８を備えている。３次元プロジェクタ８は、手術台の上方に設けられ、画像処理装置６により作成された３次元画像を患者の腹部に直接投影する。
【００７０】  これにより、術者の視線と術野の方向は一致し、開腹手術と同様な現実感を表現できる。すなわち、術者の負担を軽減できる。
【００７１】  ≪穿刺機構≫  本実施形態のトロカールカメラには、種々の穿刺機構が適用可能である。
【００７２】  （第１実施例）  本実施形態のトロカールカメラは、従来の穿刺機構に適用可能である。
【００７３】  従来技術では、トロカールを腹壁に挿入する際には、内筒を用いる。図９（ａ）はトロカール１と内筒１１１である。図９（ｂ）はトロカール１と内筒１１１が一体化した図である。
【００７４】  内筒１１１は、基本構成として、シャフト部１１２と基部１１３とを有する。シャフト径は、トロカールのパイプ内径と同程度またはやや小さく、シャフト長は、トロカールのパイプ長よりやや長い。シャフト部先端１１４は槍の様に尖っている。内筒基部１１３は、トロカールヘッド部１２と平面視にて同程度のサイズである。
【００７５】  内筒シャフト部１１２をトロカールパイプ部１１に挿入し、内筒基部１１３をトロカールヘッド部１２に係合させると、内筒１１１とトロカール１が一体化する。このとき、シャフト部先端１１４が突出している。
【００７６】  トロカール１を内筒１１１と一体として、腹壁に穿刺する。トロカールを所定の位置に固定したのち、内筒１１１を抜去する。そして、トロカール１を介して鉗子を挿入する。
【００７７】  （第２実施例）  次に、穿刺キャップについて説明する。図１０は、穿刺キャップを有するトロカールの斜視図である。図１０（ａ）と図１０（ｂ）とは、視点が異なる。
【００７８】  穿刺機構は、ヒンジ機構３１と穿刺キャップ３２を有する。
【００７９】  ヒンジ機構３１は、パイプ部１１先端に、設けられている。ヒンジ機構３１の配置がパイプ部１１端面開口と干渉しないようにすることにより、鉗子挿入の障害とならないようにする。
【００８０】  穿刺キャップ３２は略円錐状であり、中実でもよいし、剛性が確保できれば、中空でもよい。略円錐状であるため、先端が尖っている。穿刺キャップ３２は、ヒンジ機構３１を介してパイプ部１１端面開口を開閉可能に設けられている。
【００８１】  すなわち、穿刺キャップ３２の外縁（略円錐底面の外周線）がパイプ部１１端面に当接されることで、パイプ部１１端面開口は閉じられる。この当接状態が解除されることで、パイプ部１１端面開口は開かれる。
【００８２】  好ましくは、平面視にて、穿刺キャップ３２の外縁がパイプ部１１端面の外円に含まれる。更に好ましくは、穿刺キャップ３２の外縁がパイプ部１１端面の外円に一致する。これにより、トロカール抜去の際に、腹壁に引っかかることがない。
【００８３】  円錐高ｈは円錐底面直径Dの０．５〜２．０倍であることが好ましい。円錐高ｈが高すぎると（２．０倍超）、トロカール挿入後に、腹腔内で穿刺キャップ３２が障害となるおそれがある。円錐高ｈが低すぎると（０．５倍未満）、穿刺が難しくなるおそれがある。当該範囲にすることにより、確実に穿刺できるとともに、腹腔内で穿刺キャップが障害となることを防止できる。
【００８４】  図１１はキャップ形状の変形例の側面図及び斜視図である。穿刺キャップ３２を略円錐状と説明したが、幾何学的な円錐（図１１ｂ）だけでなく、円錐斜線が凸状に膨らんだ弾丸形状（図１１ａ）でもよいし、円錐斜線が凹状にへこんだホーン形状（図１１ｃ）でもよい。また、略円錐状とは、円に近似した多角錐をも含む。
【００８５】  穿刺キャップの動作について説明する。図１２は、動作説明図である。
【００８６】  穿刺キャップ３２は閉状態にある。穿刺キャップ３２先端（尖部）を腹壁の孔となる箇所に当接する。そして、力を加えて、腹壁に穿刺する（S1）。
【００８７】  更に力を加えて、トロカールを所定の位置まで挿入する。トロカールは腹壁の弾力（収縮圧）により固定される（S2）。
【００８８】  パイプ部１１に鉗子４を挿入する。このとき、鉗子先端が穿刺キャップ３２の裏側に接触することで、穿刺キャップ３２が開状態になる（S3）。
【００８９】  カメラ１７により手術対象（例えば臓器）を撮影する。これにより、リアルタイム画像がモニタ７に表示される。または、プロジェクタ８により腹部に投影される。術者は、リアルタイム画像を確認しながら、鉗子４を操作し、手術を行う（S4）。
【００９０】  術後、鉗子４を抜去する。さらに、トロカールを徐々に抜去する。このとき、腹壁の弾力は、孔を閉じるように作用する。すなわち、穿刺キャップ３２斜面に力が作用する。この作用により、穿刺キャップ３２は徐々に閉じ状態になる（S5）。なお、このとき、穿刺キャップ３２とパイプ部１１端面との間に腹壁が挟まれないことを、動物実験により確認している。
【００９１】  腹壁が穿刺キャップ３２斜面を滑るように、トロカールは抜去される。トロカールが完全に抜去されると、腹壁の孔は、腹壁の弾力により自然と閉じる（S6）。
【００９２】  本実施例では、内筒を用いる従来技術にくらべて、手術手順数および手術器具数が軽減されている。その結果、術者の負担を軽減できる。
【００９３】  （第３実施例）  図１３は、穿刺機構の別の例である。従来型のパイプ部先端面はフラット（軸方向に垂直）であるのに対し、本実施例では、パイプ部端面１３は、円筒を斜めに切断した形状に形成される。これにより、パイプ部端面１３は斜面状となり、先端と後端が形成される。カメラ１７は、斜面後端に設けられる。
【００９４】  パイプ部端面１３の先端（斜面先端）３３は穿刺機構として機能する。これにより内筒（上述）に代替できる。一方、カメラ１７が斜面後端に設けられることにより、穿刺および挿入の際に、カメラが障害となることがない。また、カメラに有機物（例えば血や肉や体液）が付着するおそれを軽減できる。
【００９５】  ≪クリーニング機構≫  一般的な、腹腔鏡下手術の最中に、腹腔鏡のレンズが曇ったり、有機物（油膜や組織片、更に具体的には血や肉や体液）が付着したりし、視野を確保できなくなることがある。したがって、その都度、腹腔鏡をトロカールから抜去してレンズを拭いた後、再びトロカールに挿入する。その結果、レンズクリーニングの度に手術の進行が一時的に中断してしまう。レンズクリーニングに係る動作は一回の手術で１０回以上繰り返される。これらの動作は、本来の手術手順には必要ない一方、術者の負担になっている。
【００９６】  したがって、新技術において新たなクリーニング機構を検討する必要がある。本実施形態のトロカールカメラには、種々のクリーニング機構が適用可能である。
【００９７】  （第１実施例）  図１４は、クリーニング機構の一例である。クリーニング機構は、シャフト４１と、クリーニング部材４２と、切替部材４３（図示省略）を有する。
【００９８】  シャフト４１は、パイプ部１１の軸方向に回動可能に固定され（パイプ壁に埋設され）、かつ、一端部がトロカール外に延長されている。シャフト４１の一端部には、切替部材４３が連設されている。
【００９９】  シャフト４１の他端部には、クリーニング部材４２が連設されている。クリーニング部材４２のカメラに接触する側の面には、樹脂や布等が貼られている。これらは、適度な柔軟性を有し、かつ、摺動に対抗できるように適度な剛性を有する。
【０１００】  切替部材４３は、クリーニング部材４２を通常位置とクリーニング位置とに、該クリーニング部材を切り替える。通常位置では、クリーニング部材４２はパイプ部端面形状に対応する位置に配置される（図示参照）。クリーニング位置では、クリーニング部材４２がカメラ１７に対応する位置に配置される。
【０１０１】  切替部材４３の回動により、シャフト４１を介して、クリーニング部材４２がカメラレンズに接触してクリーニングする。クリーニング後は、クリーニング位置から通常位置にクリーニング部材４２を戻す。回動動作を数回繰り返しても良い。このとき、トロカール１に鉗子４が挿入された状態を維持できる。
【０１０２】  第１実施例の効果について説明する。
【０１０３】  従来の一般的な腹腔鏡のレンズクリーニング動作では、腹腔鏡の抜去および挿入が必要であり、手術が中断する。これに対し、本実施例では、切替部材４３による回動のみで、カメラの曇りや有機物を除去し、レンズを確実にクリーニングすることができる。したがって、本実施例は、従来の一般的な腹腔鏡のレンズクリーニング動作に比べ、術者の負担を軽減することができる。
【０１０４】  また、  従来の一般的な腹腔鏡のレンズクリーニング動作では、レンズクリーニングの前後において、映像ズレが発生するおそれがある。これに対し、本実施例では、腹壁の収縮圧によりトロカール１は固定されており、カメラ１７は同じ位置にある。これにより、レンズクリーニング前後の映像ズレを防止し、術者の負担を軽減することができる。更に、映像ズレを軽減することで、画像処理装置６の演算処理負担を軽減できる。
【０１０５】  本実施例は、簡素な構成であり、製作が容易であり、故障の可能性がほぼ無く、耐久性、安全性が高い。
【０１０６】  （第２実施例）  図１５は、クリーニング器具の一例である。トロカールカメラ１と組み合わせることによりクリーニング機構を構成する。クリーニング器具は、シャフト４６と、クリーニング部材４７と、保持部４８とを有する。
【０１０７】  シャフト４６は、パイプ軸長より長い。シャフト４６の一端にはクリーニング部材４７が連設されている。シャフト４６の他端には保持部４８が連設されている。
【０１０８】  クリーニング部材４７はパイプ内径より小さく、パイプ１１内を挿通可能である。クリーニング部材４７のカメラに接触する側の面には、樹脂や布等が貼られている。これらは、適度な柔軟性を有し、かつ、摺動に対抗できるように適度な剛性を有する。
【０１０９】  保持部４８を操作するとことで、シャフト４６およびクリーニング部材４７はパイプ１１内に挿入され、クリーニング部材４７がカメラ１７に対応する位置に配置される。保持部４８を微動することにより、シャフト４１を介して、クリーニング部材４７がカメラレンズに接触してクリーニングする。このとき、トロカール１に鉗子４が挿入された状態を維持できる。クリーニング後は、クリーニング器具を抜去する。
【０１１０】  第２実施例は第２実施例の変形例であり、同様な効果が得られる。
【０１１１】  ≪ICG蛍光観察≫  〜概要〜  腫瘍が最初に転移をおこすリンパ節をセンチネルリンパ節（SN）と呼ぶ。近年、センチネルリンパ節に転移が存在しなければ、領域リンパ節には転移はないと仮定するSN理論が注目されている。また、癌の早期発見に係る技術も進歩しており、腫瘍の切除範囲は縮小する傾向にある。これらの背景により、腹腔鏡下手術などの低侵襲外科手術の適用が検討されている。
【０１１２】  一方、ICG蛍光観察に係る技術も注目されている。ICG（インドシニアングリーン）は低毒性の水溶性化合物であり、血漿蛋白と結合して蛍光するという性質を有する。また、ICGの励起波長および蛍光波長は体内における主な吸物質である水やヘモグロビンの吸光領域と重ならない。すなわち、近赤外波であり、体内組織を透過する。従って、組織内部の血管走行位同定や、病変部位の同定が可能である。
【０１１３】  通常、腹腔鏡下手術を行う術者は術前に切除範囲を確認する。一方で、手術中も切除範囲を確認したいという要望が多かった。また、重大な医療事故につながる血管の誤切断を防ぐためにも、切除対象まわりの血管を確認したいという要望があった。
【０１１４】  これに対し、本実施形態は、胸腔鏡下手術において、可視光観察とICG蛍光観察との同時観察を簡便に行う。
【０１１５】  〜システム基本構成〜  図１６は、ICG蛍光観察用のトロカールカメラの斜視図である。図１６（ａ）と図１６（ｂ）とは、視点が異なる。
【０１１６】  トロカール１は、パイプ部１１とヘッド部１２から構成される。パイプ部１１の端面１３には、近赤外励起光源５４が設けられている。近赤外励起光源５４は、例えばチップLEDであり、波長８００ｎｍの励起光を照射する。さらに、パイプ部１１の端面１３にレンズが位置するように、パイプ部１１先端壁面に赤外撮像デバイス５７が埋設されている。赤外撮像デバイス５７は、例えば波長８４０ｎｍのICG蛍光を検出する。なお、励起波長、蛍光波長は、適宜、最適なものを選択する。その他の構成は、図１と共通である。
【０１１７】  図１７は、手術支援システム１０４の概略構成である。手術支援システム１０４は、赤外撮像機構５７ａ，５４ａとマーカ１９ａを有する鉗子用トロカール１ａと、赤外撮像機構５７ｂ，５４ｂとマーカ１９ｂを有する鉗子用トロカール１ｂと、腹腔鏡用トロカール３と、鉗子４ａ，４ｂと、マーカ１９ｄを有する腹腔鏡５と、赤外撮像デバイス５７ａ，５７ｂから得られた画像と腹腔鏡５から得られた画像を入力し、これらを画像処理する画像処理装置６と、画像処理装置６により作成された画像を出力するモニタ７と、光学センサ９とを備えている。その他の構成は、図３と共通である。
【０１１８】  なお、腹腔鏡下手術において、複数（例えば３〜５）の鉗子を用いることが一般的である。本システムにおいて、少なくとも１以上のICG蛍光観察用のトロカールカメラを用いればよく、その他は一般的なトロカール（赤外撮像機構なし）を用いてもよい。
【０１１９】  また、腹腔鏡５に代えて、カメラ１７付トロカールを用いても良い（図７参照）。
【０１２０】  〜基本動作〜  腹腔鏡５により可視光観察を行い、可視光画像を取得する。
【０１２１】  ICG蛍光観察に先立ち、予め観察対象に蛍光色素ICGを注入する。そして、チップLED５４により近赤外励起光を照射する。照射された励起光は生体表面を透過して観察対象に照射され、観察対象に注入された蛍光色素を励起し、蛍光を発生させる。赤外撮像デバイス５７によりICG蛍光を検出する。このように、ICG蛍光画像を取得する。
【０１２２】  ICG蛍光画像と可視光画像を合成処理し（詳細後述）、重畳表示する。図１８は、画像合成処理の概念図である。
【０１２３】  〜効果〜  手術支援システム１０４を用いることにより、胸腔鏡下手術において、可視光観察とICG蛍光観察との同時観察を簡便に行うことができる。
【０１２４】  これにより、術者は、術中に切除範囲や切除対象周りの血管を確認できる。その結果、術者の負担を軽減し、手術の安全性を高めることができる。
【０１２５】  手術支援システム１０１を用いた腹腔鏡下手術は、一般的な腹腔鏡下手術を基礎とするものであり、手術方式の大きな変更がないため、術者はこれまでの手術に関する知識と経験をそのまま生かすことができる。
【０１２６】  また、手術支援システム１０４は、トロカールカメラ１を用いた簡素な構成であり、既存の手術支援システムを簡単な改良で再利用することができる。
【０１２７】  トロカールカメラ１は、一般的なトロカールを改良したものであり、構成が簡単であり、故障のおそれが少なく、製作コストも低い。言い換えると、本システムは実用性が高い。
【０１２８】  また、手術支援システム１０４では、鉗子挿入のためのトロカールを利用しているため、新たに腹壁に孔をあける必要はない。これにより、低侵襲性を維持できる。
【０１２９】  なお、上記に手術支援システムの基本構成と基本動作について説明したが、更に、下記の構成を有していてもよい。
【０１３０】  〜画像合成〜  一般に、２つの画像を合成する場合、各画像上に共通の基準点を設定し、基準点に基づいて、画像を合成する。しかし、可視光画像は組織表面の画像であるのに対し、ICG蛍光画像は、組織内部の画像であり、画像上に共通の基準点を設定することが難しい。とくに、本実施形態では、別々の撮像手段５，５７により取得するため、位置合わせが難しい。
【０１３１】  本実施形態においては、トロカール１ａはマーカ１９ａを有し、腹腔鏡５はマーカ１９ｄを有する。光学センサ９は、マーカ１９ａ，１９ｄの３次元位置を計測する。
【０１３２】  マーカ１９ａと赤外撮像デバイス５７ａの位置関係は不変である。したがって、マーカ１９ａ位置に基づき赤外撮像デバイス５７ａの３次元位置を精度よく推定できる。マーカ１９ｄは腹腔鏡５に設けられており、マーカ１９ｄ位置に基づき腹腔鏡５のカメラの３次元位置を精度よく推定できる。
【０１３３】  これにより、画像処理装置６は、ICG蛍光画像および可視光画像の位置を推定する。すなわち、マーカ１９ａ，１９ｄ間の位置関係に基づいて、ICG蛍光画像と可視光画像とを合成処理する。
【０１３４】  さらに、後述するICG蛍光３次元観察により、ICG蛍光画像に係る深さ方向の情報および正確な平面方向の情報を推定することで、より精度よくICG蛍光画像と可視光画像とを合成処理できる。
【０１３５】  〜ICG蛍光３次元観察〜  ICG蛍光画像は、組織内部の画像であり、深さ方向の情報は得られない。一方、ICG蛍光画像により切除範囲を確認する場合や、周囲の血管を確認する場合、深さ方向の情報は非常に有用である。
【０１３６】  また、ICG蛍光は組織を透過して組織表面に表れる。従って、観察対象が深くなるほど大きく見える。その結果、ICG蛍光画像には散乱性に係る課題がある。図１９に散乱性に係る概念図を示す。すなわち、深く細い観察対象（左図）と、浅く太い観察対象（右図）が、同様に観察される可能性がある。言い換えると、深さ方向の情報が得られない場合、正確な幅方向（平面方向）の情報が得られない。
【０１３７】  従って、既存のICG蛍光画像は、位置情報の精度に欠けるという課題があった。
【０１３８】  本実施形態において、手術支援システム１０４は、２つの赤外撮像機構５７ａ，５７ｂ，５４ａ，５４ｂと対応するマーカ１９ａ，１９ｂを有する。光学センサ９は、マーカ１９ａ，１９ｂの３次元位置を計測する。これにより、マーカ１９ａ，１９ｂ位置に基づき赤外撮像デバイス５７ａ，５７ｂの３次元位置を精度よく推定できる。画像処理装置６は、赤外撮像デバイス５７ａによるICG蛍光画像および赤外撮像デバイス５７ｂによるICG蛍光画像の位置を推定する。
【０１３９】  図２０に、３次元観察の概念図を示す。すなわち、マーカ１９ａ，１９ｂ間の位置関係に基づいて、深さ方向および平面方向の情報を推定する。さらに、２つのICG蛍光画像を合成処理し、モニタ７に３次元画像を出力する。なお、正確な平面方向の情報をICG蛍光画像（２次元）として、深さ方向の情報を数値として、モニタ７に出力してもよい。
【０１４０】  これにより、ICG蛍光画像に係る深さ方向の情報および正確な平面方向の情報が得られる。
【０１４１】  また、上記では、２つの赤外撮像機構を例にして説明したが、一般的な腹腔鏡下手術において、複数(例えば３〜５程度)の鉗子が用いられるため、３つ以上の赤外撮像機構を用いてもよい。たとえば、３つの赤外撮像機構により、３つの仮想三角形（詳細後述）が形成され、推定精度が向上する。
【０１４２】  ところで、一般的な腹腔鏡下手術において、複数の鉗子用のトロカール１が腹壁にほぼ均等に配置される。言い換えると、トロカール１が密集して配置される可能性はほぼない。これにより、充分広い観測点間距離を確保でき、推定精度が向上する。
【０１４３】  〜可視光３次元観察〜  上記に、ICG蛍光の３次元観察について説明したが、当然、可視光についても３次元観察が可能である。
【０１４４】  図１７に示す、手術支援システム１０１の概略構成図においては、見やすさの観点から、２つの鉗子用トロカール１ａ，１ｂしか記載していない。一方で、一般的な腹腔鏡下手術において、複数(例えば３〜５程度)の鉗子が用いられる。ここでは、図示されていない鉗子用トロカール１ｅを用いる。
【０１４５】  トロカール１ｅは、パイプ部１１と、ヘッド部１２と、カメラ１７ｅと、マーカ１９ｅを有する。即ち、赤外撮像デバイスを可視光カメラに置き換えたものである（図１参照）。
【０１４６】  トロカール１ｅにより可視光画像が得られる。一方、腹腔鏡５により可視光画像が得られる。また、マーカ１９ｄ，１９ｅの位置関係より、カメラ間の位置関係を推定できる。図４に示す、３次元観察の基本原理に基づき、対象ポイントの奥行き位置を推定できる。対象ポイントを移動し、奥行き位置推定を繰り返すことにより、腹腔内の３次元形状を計測できる。
【０１４７】  これにより、画像処理装置６は、３次元情報を推定し、２つの可視光蛍光画像を合成処理し、モニタ７に３次元画像を出力する。なお、正確な平面方向の情報を可視光画像（２次元）として、深さ方向の情報を数値として、モニタ７に出力してもよい。
【０１４８】  さらに、上記ICG蛍光画像は３次元情報が得られており、可視光画像も３次元情報が得られる。画像処理装置６は、３次元情報に基づいてICG蛍光画像と可視光画像とを精度よく合成処理する。
【０１４９】  ≪ポート≫  以上、腹腔鏡下手術を前提に説明したが、本発明は、胸腔鏡下手術に適用しても良い。ただし、腹腔鏡下手術においてトロカールと呼ばれる手術器具は、胸腔鏡下手術においてポートと呼ばれる。すなわち、トロカールとポートはほぼ同じものである。
【０１５０】  ≪トロカールカメラ変形例１≫  トロカールカメラ（カメラ付トロカール）は種々の変形が可能である。図１や図２に示すトロカールカメラでは、端面１３に光源１４が設けられている。ところで、腹腔鏡５を併用し、腹腔鏡５の光源により充分な光量を確保できる場合は、トロカールカメラの光源は不要になる。
【０１５１】  図２１は、本変形例の斜視図である。パイプ部１１の端面１３にレンズが位置するように、パイプ部１１先端壁面にカメラ１７が埋設されている。一方で、光源はない。
【０１５２】  ≪トロカールカメラ変形例２≫  図１や図２に示すトロカールカメラでは、端面１３に光源１４が設けられているのに対し、本変形例では光源１４は端面１３と反対側のパイプ部端部側（ヘッド部１２に近い側）に設けられる。
【０１５３】  図２２は、本変形例の長手方向の部分断面図である。図２３は、本変形例の短手方向の部分断面図である。
【０１５４】  一般的なトロカールでは、パイプ部１１とヘッド部１２との間に拡径による段差部が設けられている。段差部表面であって、パイプ部１１端面相当位置に、複数の光源を周方向に配置する。
【０１５５】  光源１４が、段差部表面に配置不可な場合は、パイプ部端部側（ヘッド部１２に近い側）に埋設されていてもよい。
【０１５６】  パイプ部１１は光透過性を有する材料により構成されている。透明であることが好ましいが、半透明であってもよい。また、空気より屈折率が大きい。一方で、一般的なトロカールと同様に適度な剛性や耐熱性、人体への影響がないことなどの特性も必要である。具体的にはポリカーボネートなどが適用可能である。
【０１５７】  光源１４から所定角度で光が照射されると、パイプ部１１内で全反射されながら伝達され、端面１３より出射される。このとき、全反射により、光がパイプ部側面から漏れることがなく、ほぼ損失なく伝達される。
【０１５８】  図１に示すトロカールカメラと本変形例との相違点による効果について説明する。
【０１５９】  本変形例では、光源１４の配線ケーブル１５（図示省略）が短くなるため、構成が簡素化される。また断線のおそれも低減する。
【０１６０】  端面１３に光源１４を設ける場合、カメラ１７との位置関係が重要になる。これに対し、変形例ではこのような検討は不要である。その結果、多数の光源１４を設置することができ、光量を確保できる。
【０１６１】  変形例２を更に変形することもできる。変形例２のトロカールはカメラ１７を有することを前提とするが、カメラ１７を無くし、補助光源として利用することもできる。
【０１６２】  ≪トロカールカメラ変形例３≫  変形例３は、図１６に示すICG蛍光観察用トロカールカメラの変形例である。図１６に示すトロカールカメラでは、端面１３に近赤外励起光源５４が設けられているのに対し、本変形例では近赤外励起光源５４は端面１３と反対側のパイプ部端部側（ヘッド部１２に近い側）に設けられる。
【０１６３】  近赤外励起光源５４の配置については、変形例２（図２２および図２３参照）に類似するため、図示を省略する。変形例３においても、ICG蛍光観察に適用できるとともに、変形例２と同様な効果が得られる。
【０１６４】  ≪トロカールカメラ変形例４≫  図１や図２においては、カメラ１７は一つであるのに対し、変形例４においては、カメラ１７は複数設けられている。
【０１６５】  図２４は、本変形例の斜視図である。端面１３において周方向に相対向するように、２つのカメラ１７が埋設されている。
【０１６６】  ところで、図６に示す概念図を用いて、複数のトロカールカメラを用いることによる効果（奥行き推定精度向上）について説明した。一方で、おおまかな精度で良い場合は、変形例４に係るトロカールカメラ単体でも、奥行きを推定し、腔内の３次元形状計測をおこなうことができる。
【０１６７】  もちろん、複数のトロカールカメラを併用することで、精度は向上する。
【符号の説明】
【０１６８】  １  トロカール（トロカールカメラ）  ３  腹腔鏡用トロカール  ４  鉗子  ５  腹腔鏡  ６  画像処理装置  ７  モニタ  ８  プロジェクタ  ９  光学センサ  １１  パイプ部  １２  ヘッド部  １３  パイプ端面  １４  光源  １５  ケーブル  １６  瘤部  １７  カメラ  １８  ケーブル  １９  マーカ  ３１  ヒンジ機構  ３２  穿刺キャップ  ３３  斜面先端  ４１  シャフト  ４２  クリーニング部材  ４３  切替部材  ４６  シャフト  ４７  クリーニング部材  ４８  保持部  ５４  近赤外励起光源  ５７  赤外撮像デバイス  １０１〜１０４  手術支援システム  １１１  内筒  １１２  シャフト部  １１３  基部  １１４  シャフト部先端
【図１】
0005975504.tif 000002
【図２】
0005975504.tif 000003
【図３】
0005975504.tif 000004
【図４】
0005975504.tif 000005
【図５】
0005975504.tif 000006
【図６】
0005975504.tif 000007
【図７】
0005975504.tif 000008
【図８】
0005975504.tif 000009
【図９】
0005975504.tif 000010
【図１０】
0005975504.tif 000011
【図１１】
0005975504.tif 000012
【図１２】
0005975504.tif 000013
【図１３】
0005975504.tif 000014
【図１４】
0005975504.tif 000015
【図１５】
0005975504.tif 000016
【図１６】
0005975504.tif 000017
【図１７】
0005975504.tif 000018
【図１８】
0005975504.tif 000019
【図１９】
0005975504.tif 000020
【図２０】
0005975504.tif 000021
【図２１】
0005975504.tif 000022
【図２２】
0005975504.tif 000023
【図２３】
0005975504.tif 000024
【図２４】
0005975504.tif 000025